(57)【要約】【課題】複数の絞り羽根の必要な駆動トルクを抑え駆動モータが受ける負荷を抑えながら装置の高速化や小型化を実現し得る光量調整装置を提供する。【解決手段】開口を形成する複数の羽根部材１３と、開口の中心軸周りに回転自在に配置され複数の羽根部材を駆動する回転部材１４と、回転部材に回転駆動力を付与する電動駆動源１６と、回転部材に設けられ一端で複数の羽根部材の最大開口径を形成させ、他端で複数の羽根部材の最小開口径を形成させるカム曲線を有する複数のカム溝１４ｂ，１４ｃと、複数の羽根部材に設けられ複数のカム溝にそれぞれ係合する複数の被駆動ピン１３ｂとを備え、複数のカム溝は第１のカム溝１４ｂと第１のカム溝とは異なる形状を有する少なくとも１つの第２のカム溝１４ｃとからなり、回転部材が複数の羽根部材を駆動するとき電動駆動源が受ける負荷のピークは分散される。【選択図】図４
2019191223.tif 000002
【特許請求の範囲】
【請求項１】
所望の開口を形成する複数の羽根部材と、
上記開口の中心軸周りに回転自在に配置され上記複数の羽根部材を駆動する回転部材と、
上記回転部材に回転駆動力を付与する電動駆動源と、
上記回転部材又は上記複数の羽根部材に設けられ一端で上記複数の羽根部材の最大開口径を形成させ、他端で上記複数の羽根部材の最小開口径を形成させるカム曲線を有する複数のカム溝と、
上記複数の羽根部材又は上記回転部材に設けられ上記複数のカム溝にそれぞれ係合する複数の被駆動ピンと、
を具備し、
上記複数のカム溝は、第１のカム溝と、上記第１のカム溝のカム曲線とは異なる形状のカム曲線を有する少なくとも１つの第２のカム溝とからなり、
上記電動駆動源の回転駆動力により上記回転部材が回転駆動され上記回転部材が上記複数の羽根部材を駆動するとき、上記複数の羽根部材から上記電動駆動源が受ける負荷のピークは分散されることを特徴とする光量調整装置。
【請求項２】
上記第１のカム溝と上記第２のカム溝とのそれぞれのカム曲線の形状が異なる領域は、上記開口が上記最大開口径となる直前の位置から、上記開口を狭める方向への所定の領域であることを特徴とする請求項１に記載の光量調整装置。
【請求項３】
上記複数の羽根部材のそれぞれは、上記開口を形成する内周円弧部を有し、
上記開口は、上記内周円弧部に近似する直線で示した場合、隣接する辺の長さが異なる多角形状であらわされることを特徴とする請求項１に記載の光量調整装置。
【請求項４】
上記開口をあらわす多角形状において、隣接する辺の長さは、上記開口形状が撮影に影響しない範囲で異なることを特徴とする請求項３に記載の光量調整装置。
【請求項５】
上記開口をあらわす多角形状において、隣接する辺の長さの比は２：１以下であることを特徴とする請求項３に記載の光量調整装置。
【発明の詳細な説明】
【技術分野】
【０００１】
この発明は、駆動モータ等の電動駆動源を用いて複数の羽根部材を駆動させることにより光学系を通過する光量を調整するための光量調整装置に関するものである。
【背景技術】
【０００２】
従来、撮像装置等に設けられ、撮像光学系等を含んで構成されるレンズ鏡筒ユニットでは、光学系を通過する光量を調整するための光量調整装置（いわゆる絞り装置等と呼ばれる構成ユニット）を、光学系の光路上に配置して構成されているものがある。
【０００３】
従来の光量調整装置においては、駆動モータを用いて回転部材（駆動リング）を支持部材（ケース本体）に対して回転させて複数の絞り羽根を駆動することにより光束が通過する開口を形成させるように構成されているものがある。
【０００４】
この種の光量調整装置において用いられる駆動モータは、複数の絞り羽根を略同時に同方向へと駆動することができるように構成されているのが普通である。この場合において、複数の絞り羽根によって形成される開口（以下、絞り開口という）の形状は、できるだけ円形状に近い形状とするのが、描写性能等の点から望ましいとされている。
【０００５】
ところで、近年においては、絞り開口が大きな大口径レンズ（ハイスピードレンズや明るい望遠レンズ等）についての開発が盛んに行われており、一般に実用化されている。
【０００６】
この種の大口径レンズにおいては、絞り開口を形成するための羽根部材自体が大型化する傾向がある。また、大口径レンズにおいて絞り開口の形状を略円形状に近付けるためには、より多数の絞り羽根が必要となる傾向がある。したがって、大型化され、かつ枚数の増加した羽根部材を駆動するために必要となる駆動モータのトルクは増加する傾向があり、同時に駆動モータが受ける負荷も増加することになる。
【０００７】
例えば、特開２０１７−５８６９０号公報等によって開示されている光量調整装置は、口径の異なる３つの絞り開口を形成させる３つの絞り羽根群と、１個の駆動モータとを備え、複数の絞り羽根群のそれぞれを１個の駆動モータによって駆動して、複数の絞り開口が順次形成されるように構成されている。
【０００８】
この場合において、複数の絞り羽根群のそれぞれを構成する複数の絞り羽根のそれぞれには、カム溝が設けられている。これらのカム溝は、各絞り羽根群ごとに異なるカム形状を有して形成されている。この構成により、各絞り羽根群は順次駆動するように構成されている。したがって、駆動モータが受ける負荷のピークが分散されている。
【先行技術文献】
【特許文献】
【０００９】
【特許文献１】特開２０１７−５８６９０号公報
【発明の概要】
【発明が解決しようとする課題】
【００１０】
上記特開２０１７−５８６９０号公報等によって開示されている光量調整装置において、３つの絞り羽根群を設けて構成しているのは、開放絞り状態から最小絞り状態までの間で常に略円形状の絞り開口を形成するためになされた工夫である。そのために、当該構成では、絞り羽根の枚数が非常に多数必要となってしまい、よって装置自体が大型化してしまうという問題点がある。
【００１１】
また、上記公報によって開示されている構成では、３つの絞り羽根群は、群ごとに異なるタイミングで駆動されるように構成されている。しかしながら、１つの群に含まれる複数の絞り羽根群が同時に駆動される構成となっている。つまり、１つの絞り羽根群が絞り開口を形成するとき、この絞り羽根群に含まれる複数の絞り羽根を同時に駆動させる必要があるという点においては、従来形態の光量調整装置と変わりはない。
【００１２】
一般的な形態の従来の光量調整装置では、上記公報に開示の光量調整装置における３つの絞り羽根群のうちの１つの絞り羽根群があれば、光量調整を行うという所期の目的を達成することができる。したがって、上記公報に開示の構成では、複数の絞り羽根群の各群をそれぞれ駆動させるトルクは、大きなものであることに変わりはない。
【００１３】
通常の場合、駆動モータによるトルクを確保するための一手法としては、例えば駆動モータの駆動速度を遅くすればよい。この場合、光量調整装置の高速化を阻害してしまうという問題点が生じる。
【００１４】
また、駆動モータによるトルクを確保するための他の手法としては、トルクの大きなモータ、即ち外径の大きなモータを採用すればよい。しかしながら、そのような構成では、光量調整装置が全体として大型化し、さらに、この光量調整装置を適用するレンズ鏡筒ユニットも大型化してしまうという問題点がある。
【００１５】
本発明は、上述した点に鑑みてなされたものであって、その目的とするところは、複数の絞り羽根を駆動モータを用いて駆動する光量調整装置において、複数の絞り羽根を駆動するために必要とする駆動トルクを抑えることができ、よって駆動モータが受ける負荷を抑えながら、装置の高速化や小型化を実現することのできる構造を備えた光量調整装置を提供することである。
【課題を解決するための手段】
【００１６】
上記目的を達成するために、本発明の一態様の光量調整装置は、所望の開口を形成する複数の羽根部材と、上記開口の中心軸周りに回転自在に配置され上記複数の羽根部材を駆動する回転部材と、上記回転部材に回転駆動力を付与する電動駆動源と、上記回転部材又は上記複数の羽根部材に設けられ一端で上記複数の羽根部材の最大開口径を形成させ、他端で上記複数の羽根部材の最小開口径を形成させるカム曲線を有する複数のカム溝と、上記複数の羽根部材又は上記回転部材に設けられ上記複数のカム溝にそれぞれ係合する複数の被駆動ピンと、を具備し、上記複数のカム溝は、第１のカム溝と、上記第１のカム溝のカム曲線とは異なる形状のカム曲線を有する少なくとも１つの第２のカム溝とからなり、上記電動駆動源の回転駆動力により上記回転部材が回転駆動され上記回転部材が上記複数の羽根部材を駆動するとき、上記複数の羽根部材から上記電動駆動源が受ける負荷のピークは分散される。
【発明の効果】
【００１７】
本発明によれば、複数の絞り羽根を駆動モータを用いて駆動する光量調整装置において、複数の絞り羽根を駆動するために必要とする駆動トルクを抑えることができ、よって駆動モータが受ける負荷を抑えながら、装置の高速化や小型化を実現することのできる構造を備えた光量調整装置を提供することができる。
【図面の簡単な説明】
【００１８】
【図１】本発明の一実施形態の光量調整装置を適用したレンズ鏡筒ユニットと、このレンズ鏡筒ユニットを装着した撮像装置の概略構成を示す概念図
【図２】本発明の一実施形態の光量調整装置の外観斜視図
【図３】図２の光量調整装置の背面側の平面図
【図４】図２の光量調整装置の分解斜視図
【図５】図３の［５］−［５］線に沿う要部拡大断面図
【図６】図２の光量調整装置から羽根オサエ蓋を取り外した状態の前面側の平面図
【図７】図６の状態の光量調整装置からさらに絞り羽根を取り外した状態の前面側の平面図
【図８】図２の光量調整装置において、回転部材（羽根駆動リング）に形成される二種のカム溝を示し、当該二種のカム溝を重ねて示す拡大図
【図９】図２の光量調整装置における絞り羽根によって形成される開口形状を例示する図
【発明を実施するための形態】
【００１９】
以下、図示の実施の形態によって本発明を説明する。以下の説明に用いる各図面は模式的に示すものであり、各構成要素を図面上で認識できる程度の大きさで示すために、各部材の寸法関係や縮尺等を構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００２０】
以下に説明する一実施形態は、例えば撮像装置等に設けられ、撮像光学系等を含んで構成されるレンズ鏡筒ユニットに適用される光量調整装置を例示するものである。即ち、本実施形態は、具体的には、例えばスチルカメラやビデオカメラ等の撮像装置に取り付けられるレンズ鏡筒ユニットに適用される光量調整装置を例示している。
【００２１】
本実施形態においては、撮像装置本体に対してレンズ鏡筒ユニットが着脱自在に構成される形態のいわゆるレンズ交換式撮像装置における交換式レンズ鏡筒ユニットに適用される光量調整装置として例示している。
【００２２】
しかしながら、本発明の光量調整装置を適用し得るレンズ鏡筒ユニットの形態は、交換式レンズ鏡筒ユニットに限られることはない。例えば、撮像装置本体に対してレンズ鏡筒ユニットが一体に固定されて構成される形態のいわゆるレンズ一体式撮像装置におけるレンズ鏡筒ユニットに対しても同様に適用することができる。
【００２３】
なお、本実施形態の説明においては、光学系の光軸を符号Ｏで表すものとする。そして、光軸Ｏに沿う方向において、光束が入射してくる側の面を当該光量調整装置の前面というものとし、当該前面に対向する面であって光束が出射する側の面を当該光量調整装置の背面というものとする。
【００２４】
［一実施形態］
本発明の一実施形態の光量調整装置の詳細構成を説明する前に、まず、当該光量調整装置が適用されるレンズ鏡筒ユニット及びこのレンズ鏡筒ユニットを装着した撮像装置の概略構成を簡単に説明する。
【００２５】
図１は、本発明の一実施形態の光量調整装置を適用したレンズ鏡筒ユニットと、このレンズ鏡筒ユニットを装着した撮像装置の概略構成を示す概念図である。
【００２６】
本発明の一実施形態の光量調整装置１を適用したレンズ鏡筒ユニット１００は、図１に示すように、撮像装置２００の前面に着脱自在に配設されている。即ち、図１によって例示する撮像装置２００は、交換式レンズ鏡筒ユニット１００を着脱自在に構成されるレンズ交換式撮像装置である。
【００２７】
撮像装置２００は、ボディ２０１と、メイン基板２０２と、撮像基板２０３と、背面表示装置２０４と、電子ビューファインダ２０５等を有して構成されている。
【００２８】
ボディ２０１は、当該撮像装置２００を構成する各種の構成ユニットを内部に収納するための箱体である。
【００２９】
メイン基板２０２は、撮像装置２００全体を統括的に制御する制御回路等を構成する複数の電気部品を実装した電子回路基板である。メイン基板２０２に実装される制御回路は、例えばＣＰＵ（Central Processing Unit；中央処理装置）２０２ａ等を用いたプロセッサ（processor；処理装置）等によって構成されている。
【００３０】
また、制御回路はＣＰＵ２０２ａに変えて、例えばＡＳＩＣ（Application Specific Integrated Circuit；特定用途向け集積回路）等を含む制御回路によって構成してもよい。
【００３１】
そして、ＣＰＵ２０２ａは、メモリ（不図示）に記憶されたプログラムにしたがって動作することにより、撮像素子２０３ａ（後述する），背面表示装置２０４，電子ビューファインダ２０５等を初めとして、当該撮像装置２００の各構成ユニットを制御する。
【００３２】
そのために、メイン基板２０２（ＣＰＵ２０２ａ）は、撮像基板２０３（撮像素子２０３ａ），背面表示装置２０４，電子ビューファインダ２０５等との間で信号線２０２ｂ等を用いて電気的に接続されている。
【００３３】
さらに、上記信号線２０２ｂは、後述するマウント部１１０に設けられる複数の電気接点（不図示）に電気的に接続されている。したがって、これにより、信号線２０２ｂは、撮像装置２００側のメイン基板２０２（ＣＰＵ２０２ａ）と、後述するレンズ鏡筒ユニット１００側のレンズ基板１０２（ＣＰＵ１０２ａ）との間で行われる電気的な指示信号を伝達する機能を有している。
【００３４】
撮像基板２０３は、ＣＭＯＳイメージセンサ（CMOS image sensor）等の光電変換素子である撮像素子２０３ａと、この撮像素子２０３ａを駆動する撮像素子駆動回路等の電気回路を構成する複数の電気部品を実装した電子回路基板である。撮像素子２０３ａ及びその駆動回路等は、ＣＰＵ２０２ａによって制御される。
【００３５】
背面表示装置２０４及び電子ビューファインダ２０５は、撮像素子２０３ａによって取得された画像データや記録部（不図示）に記録済みの画像データ等に基く画像を各種の形態で表示したり、設定用のメニュー表示等を行うための表示パネルと、この表示パネルを駆動するパネル駆動回路等を有する構成ユニットである。
【００３６】
背面表示装置２０４及び電子ビューファインダ２０５は、例えば液晶表示ディスプレイ（Liquid Crystal Display；ＬＣＤ）や有機エレクトロルミネッセンス（有機ＥＬ；Organic Electro-Luminescence：ＯＥＬ）ディスプレイ等が適用される。
【００３７】
なお、背面表示装置２０４と電子ビューファインダ２０５とは、ほぼ同じ機能を有する構成ユニットである。したがって、撮像装置２００の使用時には、いずれか一方を選択して使用され、適宜切り換えて使用することができるように構成されている。
【００３８】
そして、背面表示装置２０４及び電子ビューファインダ２０５は、ＣＰＵ２０２ａによって制御される。
【００３９】
なお、撮像装置２００のボディ２０１内には、上述した構成ユニット以外にも、その他各種のさまざまな構成ユニットが配設されている。しかしながら、上述した構成ユニット以外の構成物は本発明に直接関連しない構成である。したがって、上述した構成ユニット以外については、従来の一般的な構成の撮像装置において利用されているものと同様の構成を有するものとして、図示及び説明を省略する。
【００４０】
上述のように構成された撮像装置２００の前面には、レンズ鏡筒ユニット１００が着脱自在に配設されている。そのために、撮像装置２００の前面及びレンズ鏡筒ユニット１００の後面には、両者（２００，１００）の機械的な接続及び電気的な接続を実現する構成を備えたマウント部１１０が設けられている。
【００４１】
このマウント部１１０は、従来のレンズ交換式撮像装置及びこの撮像装置に装着される交換式レンズ鏡筒ユニットにおいて一般的に適用される形態のもの（例えば電気接点付きのバヨネット式マウント等）が適用されているものとする。したがって、その詳細構成の説明は省略する。
【００４２】
レンズ鏡筒ユニット１００は、レンズ鏡筒本体１０１と、レンズ基板１０２と、複数の光学レンズ１０３と、光量調整装置１等を有して構成されている。
【００４３】
レンズ鏡筒本体１０１は、当該レンズ鏡筒ユニット１００を構成する各種の構成ユニットを内部に収納するための筒体である。
【００４４】
レンズ基板１０２は、レンズ鏡筒ユニット１００全体を統括的に制御する制御回路等を構成する複数の電気部品を実装した電子回路基板である。レンズ基板１０２に実装される制御回路は、例えばＣＰＵ（Central Processing Unit；中央処理装置）１０２ａ等を用いたプロセッサ（processor；処理装置）等によって構成されている。
【００４５】
また、制御回路はＣＰＵ１０２ａに変えて、例えばＡＳＩＣ（Application Specific Integrated Circuit；特定用途向け集積回路）等を含む制御回路によって構成してもよい。
【００４６】
なお、レンズ基板１０２（ＣＰＵ１０２ａ）は単独で動作すると共に、撮像装置２００側のメイン基板２０２（ＣＰＵ２０２ａ）と協働して、各種の制御動作を実行する。また、これとは別に、レンズ基板１０２（ＣＰＵ１０２ａ）を設けることなく、全ての制御を、撮像装置２００側のメイン基板２０２（ＣＰＵ２０２ａ）によって行う構成としてもよい。
【００４７】
複数の光学レンズ１０３は、被写体からの光束を集光して光学的な被写体像を形成し、その光学像を、撮像素子２０３ａの撮像面上に結像させるための撮像光学系である。
【００４８】
これら複数の光学レンズ１０３の一部のレンズは、例えば焦点調節動作や変倍動作のために、光軸Ｏに沿う方向に進退自在に構成されている（詳細構成は不図示）。そのために、図示を省略しているが、本レンズ鏡筒ユニット１００は、複数の光学レンズ１０３の一部のレンズを、例えばＣＰＵ１０２ａ、２０２ａの制御下において適宜駆動させるための駆動機構等を備えている。
【００４９】
光量調整装置１は、後述するように、駆動モータ等の電動駆動源を用いて複数の羽根部材を駆動させることにより、複数の光学レンズ１０３を通過する光量を調整するための構成ユニットである。この光量調整装置１は、ＣＰＵ１０２ａ，２０２ａによって制御される。
【００５０】
そのために、レンズ基板１０２（ＣＰＵ１０２ａ）は、光量調整装置１等の構成ユニットとの間で信号線１０２ｂを用いて電気的に接続されている。そして、この信号線１０２ｂは、マウント部１１０に設けられる複数の電気接点（不図示）に電気的に接続されている。したがって、これにより、信号線１０２ｂは、レンズ鏡筒ユニット１００側のレンズ基板１０２（ＣＰＵ１０２ａ）と、撮像装置２００側のメイン基板２０２（ＣＰＵ２０２ａ）との間での電気的な指示信号を伝達する機能を有している。
【００５１】
なお、レンズ鏡筒ユニット１００のレンズ鏡筒本体１０１内には、上述した構成ユニット以外にも、その他各種のさまざまな構成ユニットが配設されている。しかしながら、上述した構成ユニット以外の構成物は本発明に直接関連しない構成である。したがって、上述した構成ユニット以外については、従来の一般的な構成のレンズ鏡筒ユニットにおいて利用されているものと同様の構成を有するものとして、図示及び説明を省略する。
【００５２】
次に、本実施形態の光量調整装置１の詳細な構成を、以下に説明する。
【００５３】
図２〜図８は、本発明の一実施形態の光量調整装置を示す図である。このうち、図２は、本発明の一実施形態の光量調整装置の外観斜視図である。図３は、図２の光量調整装置の背面側の平面図である。図４は、図２の光量調整装置の分解斜視図である。図５は、図３の［５］−［５］線に沿う要部拡大断面図である。図６は、図２の光量調整装置から羽根オサエ蓋を取り外した状態の前面側の平面図である。図７は、図６の状態からさらに絞り羽根を取り外した状態の前面側の平面図である。図８は、本実施形態の光量調整装置において、回転部材（羽根駆動リング）に形成される二種のカム溝を示し、当該二種のカム溝を重ねて示す拡大図である。
【００５４】
本実施形態の光量調整装置１は、全体として略円形状に形成され、その中心位置に略円形状の開口１０を有して構成される構成ユニットである。この光量調整装置１は、レンズ鏡筒ユニット１００の複数の光学レンズ１０３の光軸上において、光軸Ｏと開口１０の中心が略一致するように配置されている。
【００５５】
即ち、光量調整装置１は、主に図２〜図４等に示すように、羽根オサエ蓋１１と、ケース本体１２（羽根支持部材）と、複数の羽根部材１３と、羽根駆動リング１４（回転部材）と、駆動モータ１６と、付勢バネ１８と、位置検出センサー２０等を具備して構成されている。
【００５６】
ケース本体１２は、当該光量調整装置１における基本構成部材である。このケース本体１２は、中心部位に略円形状の開口１２ａを有し、全体として略円環形状に形成されている。
【００５７】
ケース本体１２は、図４に示すように、開口１２ａを有する円環状平面部１２ｂと、この円環状平面部１２ｂの外周縁を取り囲むように形成される外壁部１２ｃとを有して形成されている。この場合において、円環状平面部１２ｂに対向する面は開口している。そして、上記円環状平面部１２ｂに対向する面の開口は、図２に示すように、羽根オサエ蓋１１（詳細後述）によって覆われている。
【００５８】
このような構成によって、ケース本体１２は、円環状平面部１２ｂと外壁部１２ｃと羽根オサエ蓋１１とによって所定の内容積を有する内部空間部を備えて構成されている。そして、この内部空間部には、複数の羽根部材１３及び羽根駆動リング１４が所定の動作を行ない得る状態で配設されている（詳細後述）。
【００５９】
また、ケース本体１２の円環状平面部１２ｂには、羽根駆動リング１４が内部空間部の所定の位置に配設された時に、当該羽根駆動リング１４のセクタギアー１４ｄ（後述する）及び遮光羽根部１４ｅ（後述する）が配置され、これら（１４ｄ，１４ｅ）が羽根駆動リング１４の回転に従って移動する際の移動を許容する貫通溝部１２ｅが形成されている。貫通溝部１２ｅは、円環状平面部１２ｂにおいて、周方向に向けて所定の範囲の円弧状に形成される貫通溝である。
【００６０】
さらに、ケース本体１２には、複数の羽根部材１３のそれぞれを支持孔１３ｃ（後述する）にて回転自在に軸支するための複数の支軸１２ｄが形成されている。これら複数の支軸１２ｄは、外壁部１２ｃの前面から光軸Ｏと平行な方向に突出するように前方に向けて形成されている。そして、複数の支軸１２ｄは、ケース本体１２の外壁部１２ｃ上において周方向に略等間隔に並べて配置されている。
【００６１】
なお、複数の支軸１２ｄは、複数の羽根部材１３と同数形成されている。また、本実施形態においては、複数の羽根部材１３が８枚設けられ、複数の支軸１２ｄが８本設けられている例を示している。
【００６２】
ここで、ケース本体１２は、複数の羽根部材１３のそれぞれを回転自在に軸支する複数の支軸１２ｄを有している。これにより、ケース本体１２は、複数の羽根部材１３を回転自在に支持する羽根支持部材として機能している。
【００６３】
ケース本体１２の円環状平面部１２ｂの背面側には、駆動モータ１６と位置検出センサー２０とが配設されている。
【００６４】
駆動モータ１６は、当該光量調整装置１における羽根駆動リング１４を所定のタイミングで所定の回転方向へ所定量だけ回転駆動させることで、複数の羽根部材１３を光軸Ｏに直交する面内で回転させるための電動アクチュエータであり電動駆動源である。この駆動モータ１６としては、例えばステッピングモータ等が適用されている。
【００６５】
したがって、駆動モータ１６が羽根駆動リング１４を駆動することにより、複数の羽根部材１３は、当該光量調整装置１の開口１０に対して光軸Ｏに直交する面内で進退し、当該光量調整装置１の開口１０の口径（以下、開口径という）を変化させる。したがって、これにより、開口１０を光軸Ｏに沿って通過する光量が調整される。
【００６６】
なお、駆動モータ１６は、当該光量調整装置１が適用されるレンズ鏡筒ユニット１００若しくは撮像装置２００（図１参照）に設けられるＣＰＵ１０２ａ，２０２ａ等によって駆動制御される。
【００６７】
本実施形態における駆動モータ１６は回転する駆動軸を有している。この駆動軸の先端にはピニオンギアー１６ａ（図４参照）が固定されている。そして、当該駆動モータ１６は、ケース本体１２の円環状平面部１２ｂの背面に対して２本のビス１７を用いて、上記貫通溝部１２ｅの近傍に固定されている。このように駆動モータ１６がケース本体１２に対して所定の位置に固定された時に、駆動モータ１６の回転軸及びピニオンギアー１６ａは、ケース本体１２の貫通溝部１２ｅの内部に配置される。
【００６８】
なお、ピニオンギアー１６ａは、羽根駆動リング１４のセクタギアー１４ｄ（後述）に噛合している。このような構成によって、駆動モータ１６の回転駆動力は、駆動軸，ピニオンギアー１６ａ，セクタギアー１４ｄを用いて羽根駆動リング１４へと伝達される。そして、羽根駆動リング１４は、駆動モータ１６の回転駆動力を受けて光軸Ｏ周りの所定の方向（正逆いずれかの方向）に所定量だけ回転駆動する。
【００６９】
位置検出センサー２０は、羽根駆動リング１４の回転位置を検出するための電気部材である。位置検出センサー２０は、例えばフォトインタラプタ (Photointerrupter) 等が適用される。位置検出センサー２０は、ケース本体１２の円環状平面部１２ｂの背面に対して、取付板２１及びビス２２を用いて、上記貫通溝部１２ｅの近傍に固定されている。
【００７０】
そして、このように位置検出センサー２０がケース本体１２に対して所定の位置に固定された時に、位置検出センサー２０には、ケース本体１２の貫通溝部１２ｅに配置される遮光羽根部１４ｅが作用するように構成されている。
【００７１】
つまり、羽根駆動リング１４の回転に伴って遮光羽根部１４ｅが移動して、位置検出センサー２０の送受光部の間を通過するたびに、当該位置検出センサー２０は、羽根駆動リング１４の回転位置を検出する。
【００７２】
さらにまた、ケース本体１２の円環状平面部１２ｂには、図３等に示すように、バネ係止部１２ｆと、貫通溝部１２ｇとが形成されている。
【００７３】
バネ係止部１２ｆは、後述する付勢バネ１８の一端を係止する部位である。このバネ係止部１２ｆは、光軸Ｏと平行方向に向けて突出するように形成された軸状部を有して形成されている。この軸状部の先端形状は、軸状部に係止された付勢バネ１８の一端が容易に脱落しないような形状（例えば略フック形状若しくは軸状部の軸径よりも大径の頭部形状等を有する形状）に形成されている。
【００７４】
貫通溝部１２ｇは、円環状平面部１２ｂにおいて、周方向に向けて所定の範囲の円弧状に形成される貫通溝である。この貫通溝部１２ｇは、羽根駆動リング１４がケース本体１２の内部空間部の所定の位置に配設された時に、当該羽根駆動リング１４のバネ係止部１４ｆ（後述する）が貫通して、当該バネ係止部１４ｆをケース本体１２の背面側に突出させると共に、バネ係止部１４ｆが羽根駆動リング１４の回転に従って移動する際の移動を許容するように形成されている。
【００７５】
ここで、付勢バネ１８は、ケース本体１２に対して羽根駆動リング１４を光軸Ｏ周りの一方向に回転付勢するために設けられている。これにより、付勢バネ１８は、羽根駆動リング１４に対し所定の方向の回転付勢力を付与することによって、複数の羽根部材１３を光軸Ｏに平行な回転軸（複数の支軸１２ｄ）周りにおける一方向へと回転させるように付勢する。
【００７６】
なお、本実施形態においては、付勢バネ１８の形態は、例えば緊縮性のコイルバネ等を適用した例を示している。そして、付勢バネ１８の一端はケース本体１２のバネ係止部１２ｆに係止され、付勢バネ１８の他端は羽根駆動リング１４のバネ係止部１４ｆに係止されている。
【００７７】
このバネ係止部１４ｆは、羽根駆動リング１４の背面から背面側に向けて突出する軸状部を有して形成されている。この軸状部の先端形状は、上述のバネ係止部１２ｆと同様に、当該軸状部に係止された付勢バネ１８の他端が容易に脱落しないような形状（例えば略フック形状等）に形成されている。
【００７８】
このような構成により、羽根駆動リング１４は、付勢バネ１８の付勢力によってケース本体１２に対して常に光軸Ｏ周りにおいて一方の回転方向に付勢されている。本実施形態においては、付勢バネ１８による羽根駆動リング１４の回転付勢方向は、例えば羽根駆動リング１４が回転することによって駆動される複数の羽根部材１３が形成する開口（絞り開口）の口径を狭める方向（閉じ方向という）である。
【００７９】
なお、この構成例とは別に、付勢バネ１８による羽根駆動リング１４の付勢方向は、複数の羽根部材１３による絞り開口の口径を開放状態とする方向（開き方向という）としてもよい。
【００８０】
羽根駆動リング１４は、駆動モータ１６の駆動力を受けてケース本体１２に対して光軸Ｏ周りに回転することで複数の羽根部材１３を駆動させる構成部材である。そのために、羽根駆動リング１４は、当該光量調整装置１における開口１０の中心（光軸Ｏ）周りに回転自在に設けられている。そして、羽根駆動リング１４は、後述する所定の機構によって所定の方向に回転することで、複数の羽根部材１３を駆動して、当該光量調整装置１の開口１０の開口径を設定する。
【００８１】
羽根駆動リング１４は、全体がケース本体１２よりもやや小径の略円環形状に形成されており、その略中心部位に略円形状の開口１４ａを有している。この開口１４ａの中心軸は、ケース本体１２の開口１２ａの中心軸（光軸Ｏ）と略一致するように配置されている。
【００８２】
羽根駆動リング１４は、ケース本体１２の内部空間部において、同ケース本体１２に対して光軸Ｏ周りに所定の範囲内で正逆回転自在に配設されている。羽根駆動リング１４には、背面側の面上にセクタギアー１４ｄと、遮光羽根部１４ｅとが形成されている。
【００８３】
ここで、セクタギアー１４ｄは、駆動モータ１６のピニオンギアー１６ａが噛合して、当該駆動モータ１６の回転駆動力を羽根駆動リング１４へと伝達して、当該羽根駆動リング１４を光軸Ｏ周りに回転させるための構成部位である。
【００８４】
また、遮光羽根部１４ｅは、羽根駆動リング１４が回転する際に、位置検出センサー２０に作用する構成部位である。
【００８５】
羽根駆動リング１４の円環形状平面部１４ｇの前面側には、それぞれが所定の形状のカム曲線を備えた複数のカム溝（１４ｂ，１４ｃ）が形成されている。本実施形態においては、カム曲線の異なる二種のカム溝を複数設けて構成した例を示している（図８参照）。
【００８６】
即ち、本実施形態において、複数のカム溝は、図８に示すように、第１カム曲線１４ｂｘを有する複数の第１カム溝１４ｂ（図８の点線表記）と、第２カム曲線１４ｃｘを有する複数の第２カム溝１４ｃ（図８の実線表記）とを有する。このように、第１カム溝１４ｂと第２カム溝１４ｃとは、それぞれのカム曲線（１４ｂｘ，１４ｃｘ））の形状が異なるように形成されている。
【００８７】
なお、図８においては、二種のカム溝（１４ｂ，１４ｃ）を識別し易くするために、第１カム溝１４ｂ及び第１カム曲線１４ｂｘを点線で表記し、第２カム溝１４ｃ及び第２カム曲線１４ｃｘを実線で表記している。したがって、図８においては、点線及び実線の表記が通常の図面における線種の扱いとは異なる。
【００８８】
複数のカム溝（１４ｂ，１４ｃ）は、羽根駆動リング１４の円周方向に並べて配置されている（図３，図７参照）。この場合において、第１カム溝１４ｂと第２カム溝１４ｃとは、周方向において交互に並べて配置されている。
【００８９】
複数のカム溝１４ｂ，１４ｃの総数は、複数の羽根部材１３と同数設けられている。本実施形態においては、上述したように、複数の羽根部材１３を８枚配設した例を示している。したがって、本実施形態において、カム溝（１４ｂ，１４ｃ）の総数は、複数の羽根部材１３の枚数（８枚）に対応させて８本形成されている。そして、本実施形態においては、総数８本の複数のカム溝（１４ｂ，１４ｃ）のうち第１カム溝１４ｂを４本、第２カム溝１４ｃを４本形成している。
【００９０】
これら複数のカム溝（１４ｂ，１４ｃ）のそれぞれには、複数の羽根部材１３の各被駆動ピン１３ｂが係合する。複数の羽根部材１３のそれぞれは、各羽根部材１３の回転中心となる支持孔１３ｃが、ケース本体１２の複数の支軸１２ｄのそれぞれに回転自在に係合している。
【００９１】
このような構成により、羽根駆動リング１４が駆動モータ１６の駆動力を受けて光軸Ｏ周りに回転すると、当該羽根駆動リング１４の回転に伴って複数のカム溝（１４ｂ，１４ｃ）も同様に光軸Ｏ周りの同方向へと移動する。これにより、複数の羽根部材１３の各被駆動ピン１３ｂは、各カム溝（１４ｂ，１４ｃ）に沿って相対的に移動する。このとき、複数の羽根部材１３は支軸１２ｄ周りに回転する。
【００９２】
したがって、複数の羽根部材１３は、支軸１２ｄ周りに回転しながら、光軸Ｏに直交する面内で進退し、開口１０の開口径を変化させる。このように、羽根駆動リング１４の複数のカム溝（１４ｂ，１４ｃ）は、複数の羽根部材１３のそれぞれを駆動するための駆動部として機能している。
【００９３】
ここで、カム溝（１４ｂ，１４ｃ）の構成について、さらに詳述する。上述したように、羽根駆動リング１４に形成される複数のカム溝（１４ｂ，１４ｃ）は、複数の羽根部材１３をそれぞれ駆動する駆動部として機能する。そのために、複数のカム溝（１４ｂ，１４ｃ）のそれぞれには、複数の羽根部材１３の各被駆動ピン１３ｂが係合されている。
【００９４】
複数のカム溝（１４ｂ，１４ｃ）は、羽根駆動リング１４の前面において、周方向に略等間隔に並べて形成されている。この場合において、上述したように、第１カム溝１４ｂと第２カム溝１４ｃとは周方向に交互に並べて配置されている。そして、本実施形態において、複数のカム溝（１４ｂ，１４ｃ）は、図４等に示すように、また上述したように８本形成されている。
【００９５】
各カム溝（１４ｂ，１４ｃ）の各カム曲線（１４ｂｘ，１４ｃｘ）は、図８に示すように形成されている。各カム曲線（１４ｂｘ，１４ｃｘ）は、各羽根部材１３が所定の範囲内で駆動される際に、各被駆動ピン１３ｂが移動する経路を示すものである。
【００９６】
ここで、カム溝（１４ｂ、１４ｃ）に係合する被駆動ピン１３ｂが、図８のカム曲線上の符号Ａに示す位置（カム溝（１４ｂ，１４ｃ）の一端）にあるとき、複数の羽根部材１３によって形成される開口（絞り開口）の口径は、当該光量調整装置１において設定し得る最大開口径となるものとする。そして、このとき羽根部材１３は開放絞り状態にあるので、この位置を開位置Ａと表記する。
【００９７】
また、被駆動ピン１３ｂが、図８のカム曲線上の符号Ａ１に示す位置と、その前後の所定の範囲の領域にあるとき、複数の羽根部材１３は、開放絞り状態に近い位置にあるものとする。そして、このときの位置を、開放近似位置Ａ１と表記する。
【００９８】
一方、カム溝（１４ｂ、１４ｃ）に係合する各被駆動ピン１３ｂが、図８の符号Ｂに示す位置（カム溝（１４ｂ，１４ｃ）の中間位置）と、その前後の所定の範囲の領域にあるとき、複数の羽根部材１３によって形成される開口（絞り開口）の口径は中間絞り状態にあるものとする。そして、このとき羽根部材１３は中間絞り位置にあるので、中間絞り位置Ｂと表記する。
【００９９】
他方、カム溝（１４ｂ、１４ｃ）に係合する各被駆動ピン１３ｂが、図８の符号Ｃに示す位置（カム溝（１４ｂ，１４ｃ）の他端）にあるとき、複数の羽根部材１３によって形成される開口（絞り開口）の口径は、当該光量調整装置１において設定し得る最小開口径となる最小絞り状態にあるものとする。そして、このとき羽根部材１３は最小絞り位置にあるので、最小絞り位置Ｃと表記する。
【０１００】
なお、上述のように、開位置Ａ，最小絞り位置Ｃは、カム溝（１４ｂ，１４ｃ）のそれぞれ両端の各一点として表記される。
【０１０１】
これに対し、中間絞り位置Ｂは、カム曲線上の所定の一点を指すのみでなく、中間絞り位置Ｂの前後の所定の領域を指すものである。したがって、中間絞り位置Ｂとして扱われる領域は、最小絞り位置Ｃにある被駆動ピン１３ｂが少しでも移動した時点の位置から、開放近似位置Ａ１に近い所定の位置（不図示）までの領域を指すものとする。
【０１０２】
同様に、開放近似位置Ａ１は、カム曲線上の所定の一点を指すのみでなく、開放近似位置Ａ１の前後の所定の領域を指すものである。したがって、開放近似位置Ａ１として扱われる領域は、中間絞り位置Ｂに含まれる領域の所定の境界位置（不図示）から、最大開口径となる開位置Ａに被駆動ピン１３ｂが到達する時点よりも直前の位置までの領域を指すものとする。
【０１０３】
本実施形態の光量調整装置１において、複数の羽根部材１３は、上述したように、駆動モータ１６の駆動力によって回転される羽根駆動リング１４によって駆動される。このとき、各羽根部材１３は、最小絞り位置Ｃと開位置Ａとの間の区間で駆動され、各被駆動ピン１３ｂは、各カム溝（１４ｂ，１４ｃ）内を相対的に移動して、複数の羽根部材１３によって形成される開口（絞り開口）の口径を変化させる。
【０１０４】
この場合において、第１カム溝１４ｂの第１カム曲線１４ｂｘと、第２カム溝１４ｃの第２カム曲線１４ｃｘとでは、中間絞り位置Ｂと開放近似位置Ａ１との間の区間（図８のＡ１−Ｂ区間）でカム形状を異ならせて形成している。
【０１０５】
なお、第１カム曲線１４ｂｘと第２カム曲線１４ｃｘとにおいて、中間絞り位置Ｂと最小絞り位置Ｃとの間の区間（図８のＢ−Ｃ区間）のカム形状は略一致している。また、同様に、開放近似位置Ａ１を過ぎて開位置Ａとの間の区間（図８のＡ−Ａ１区間）のカム形状は略一致している。
【０１０６】
上述したように、羽根駆動リング１４には、付勢バネ１８によって、複数の羽根部材１３を最小絞り状態とする方向に駆動させる付勢力が常に付与されている。したがって、この羽根駆動リング１４を駆動モータ１６の駆動力によって付勢バネ１８の付勢力に抗して回転させて、複数の羽根部材１３を閉位置Ｃから中間絞り位置Ｂ，開放近似位置Ａ１を経て開位置Ａへと駆動する場合、駆動モータ１６が受ける負荷は、中間絞り位置Ｂと開放近似位置Ａ１との間で大きくなることが判っている。
【０１０７】
即ち、複数の羽根部材１３が開閉駆動されるとき、開放絞り位置に近くなるほど、各羽根部材１３の移動量は大きくなる。したがって、このときに必要となる駆動トルクも大きくなり、よって駆動モータ１６が受ける負荷も大きい。
【０１０８】
一方、複数の羽根部材１３が開閉駆動されるとき、小絞り位置に近くなるほど、各羽根部材１３の移動量は小さくなる。したがって、必要となる駆動トルクも小さくなり、よって駆動モータ１６が受ける負荷は小さい。
【０１０９】
したがって、開放絞り寄りの領域になるほど、駆動モータ１６の受ける負荷は大きくなると考えられる。
【０１１０】
そこで、本実施形態においては、中間絞り位置Ｂと開放絞り位置Ａ１との間のカム形状を異なる二種のカム溝（第１カム溝１４ｂ，第２カム溝１４ｃ）として構成している。
【０１１１】
この場合において、複数の羽根部材１３の総数の半分の枚数ずつ（４枚ずつ）を各カム溝（１４ｂ，１４ｃ）によって駆動させるように構成している。
【０１１２】
具体的には、複数の羽根部材１３のうち４枚を第１カム曲線１４ｂｘを有する第１カム溝１４ｂによって駆動させ、他の４枚を第２カム曲線１４ｃｘを有する第２カム溝１４ｃによって駆動させるようにしている。さらに、この場合において、各カム溝（１４ｂ，１４ｃ）は、周方向に交互に並べて配置している。
【０１１３】
上述したように、第１カム曲線１４ｂｘと第２カム曲線１４ｃｘとは、中間絞り位置Ｂと開放近似位置Ａ１との間のカム形状を異ならせて形成されている。このように、カム形状の異なる二種のカム溝（１４ｂ，１４ｃ）を用いて構成したことによって、第１カム溝１４ｂが４枚の羽根部材１３を駆動する際の駆動モータ１６にかかる負荷のピークタイミングと、第２カム溝１４ｃが他の４枚の羽根部材１３を駆動する際の駆動モータ１６にかかる負荷のピークタイミングとを、時間的にずらすことができる。
【０１１４】
つまり、全てのカム溝を同じ形状とした構成（従来構成）の場合には、駆動モータ１６が受ける負荷は、ある特定の時点（タイミング）で集中して受けることになる。
【０１１５】
これに対し、本実施形態の構成では、駆動モータ１６が受ける負荷のうち、第１カム溝１４ｂで４枚の羽根部材１３を駆動する際に駆動モータ１６が受ける負荷のピークタイミングと、第２カム溝１４ｃで４枚の羽根部材１３を駆動する際に駆動モータ１６が受ける負荷のピークタイミングとが、時間的に分散される構成となっている。したがって、ある特定の時点（タイミング）で駆動モータ１６が受ける負荷は軽減される。
【０１１６】
図３に戻って、他の構成の詳細を説明する。上述したように、ケース本体１２の円環状平面部１２ｂと外壁部１２ｃとで形成される内部空間部には、羽根駆動リング１４と複数の羽根部材１３とが配設されている。
【０１１７】
ここで、複数の羽根部材１３は、光量調整装置１における開口１０の外周領域において、図６に示すように、一部が互いに重ね合わせた形態で円周に沿って配置されることによって、略円形状の絞り開口１３ａを形成している。
【０１１８】
この形態において、各羽根部材１３のそれぞれは、後述するように、羽根駆動リング１４からの駆動力を受けて所定の移動を行って（支軸１２ｄ周りに回転して）、絞り開口１３ａの口径を変化させる。これにより、複数の羽根部材１３は、開口１０を通過する光量の調整を行う。
【０１１９】
複数の羽根部材１３のそれぞれは、例えば薄板状シート部材等によって形成されている。各羽根部材１３は、例えば略三日月状 (lunate) に形成されている。また、各羽根部材１３の基端部近傍には、被駆動ピン１３ｂと、支持孔１３ｃとが形成されている。
【０１２０】
被駆動ピン１３ｂは、羽根駆動リング１４のカム溝（１４ｂ，１４ｃ）に係合し、同羽根駆動リング１４が回転するのに伴って各羽根部材１３を駆動させるための軸部材である。
【０１２１】
なお、各被駆動ピン１３ｂは、各羽根部材１３の背面側の表面から光軸Ｏと平行方向に背面側に向けて突出して、羽根駆動リング１４の複数のカム溝（１４ｂ，１４ｃ）に係合している。
【０１２２】
また、各被駆動ピン１３ｂは、各羽根部材１３の前面側の表面から光軸Ｏと平行方向に前面側に向けても突出している。この前面側への突出部位は、当該光量調整装置１の組み立て状態において、後述するように羽根オサエ蓋１１の有底溝（不図示）に係合している。
【０１２３】
支持孔１３ｃは、ケース本体１２の支軸１２ｄが貫通されることにより、各羽根部材１３を回転自在に軸支する部位である。なお、本実施形態の光量調整装置１においては、複数の羽根部材１３は、８枚の羽根部材によって構成した例を示している。
【０１２４】
そして、当該光量調整装置１を組み立てた状態としたとき、複数の羽根部材１３の各支持孔１３ｃには、支軸１２ｄのそれぞれが貫通されることにより、複数の羽根部材１３は、光軸Ｏに平行な回転軸である支軸１２ｄ周りに回転自在に軸支された状態で、ケース本体１２の内部空間部に収納される。そして、この状態において、複数の羽根部材１３の各被駆動ピン１３ｂは、羽根駆動リング１４の複数のカム溝（１４ｂ，１４ｃ）のそれぞれに係合される。
【０１２５】
このように、ケース本体１２の内部空間部に、羽根駆動リング１４と複数の羽根部材１３とのそれぞれが所定の位置に所定の形態で収納された状態において、ケース本体１２の円環状平面部１２ｂに対向する面の開口は、羽根オサエ蓋１１によって覆われている。このとき、羽根オサエ蓋１１は、ケース本体１２に対して、例えば複数のビス１９を用いて固定されている。
【０１２６】
羽根オサエ蓋１１は、ケース本体１２と略同径の略円環形状に形成されている。羽根オサエ蓋１１の略中心部位には、円形開口１１ａが形成されている。この円形開口１１ａの中心軸は、各開口１３ａ，１４ａ，１２ａの各中心軸及び光軸Ｏと略一致するように配置されている。これにより、当該光量調整装置１の開口１０は、各開口１１ａ，１２ａ，１３ａ，１４ａによって形成されているものであるといえる。そして、当該開口１０は、複数の羽根部材１３によって形成される絞り開口１３ａが可変することで、開口径を変化させるように構成されている。
【０１２７】
羽根オサエ蓋１１は、ケース本体１２の開口を覆うと共に、当該ケース本体１２の内部空間に収納された各構成部材（羽根駆動リング１４及び複数の羽根部材１３等）の脱落を抑止するための部材である。
【０１２８】
羽根オサエ蓋１１の背面側（ケース本体１２の内部空間に対向する面）には、複数の羽根部材１３の前面側の各被駆動ピン１３ｂがそれぞれ係合して、各羽根部材１３の回転を案内する有底溝（不図示）が形成されている。この有底溝（不図示）は、複数のカム溝（１４ｂ，１４ｃ）と略同形状に形成され、各被駆動ピン１３ｂの前面側突出部位の移動をガイドする。
【０１２９】
このように構成される光量調整装置１において、ケース本体１２の円環状平面部１２ｂに対向する面の開口には、羽根オサエ蓋１１が配置されることによって内部を覆っている。これにより、ケース本体１２と羽根オサエ蓋１１とによって内部空間部が形成され、この内部空間部に、羽根駆動リング１４と複数の羽根部材１３とが所定の動作を行ない得る状態で収納されている。
【０１３０】
そして、光量調整装置１は、開口１１ａ，１３ａ，１４ａ，１２ａによって形成される開口１０を有している。この開口１０は、撮像光学系に入射する光束を通過させる開口である。したがって、光量調整装置１は、開口１０の中心が、撮像光学系に入射する光束の光軸Ｏに略一致するように配置されている。
【０１３１】
そして、当該光量調整装置１が、開口１０を中心として全体が略円筒形状に形成されている。そして、複数の羽根部材１３が、開口１０に平行な面内に沿って進退することによって、開口１０の開口径を変化させる。したがって、これにより、当該光量調整装置１は、開口１０を通過する光量の調整が行われる。
【０１３２】
このように構成された本実施形態の光量調整装置１において、複数の絞り羽根によって形成される絞り開口１３ａの形状は、次のようになる。
【０１３３】
図９は、本実施形態の光量調整装置における絞り羽根によって形成される開口形状の例示である。なお、図９においては、本実施形態の光量調整装置１において、ケース本体１２と、複数の羽根部材のうちの一部を示している。
【０１３４】
ここで、図９において実線で示す羽根部材１３Ａｂ，１３Ａｃは開放絞り位置にある複数の羽根部材のうち周方向に隣接して配置される２枚を取り出して示している。ここで、羽根部材１３Ａｂの被駆動ピン１３ｂは第２カム溝１４ｃに係合しているものとする。また、羽根部材１３Ａｃの被駆動ピン１３ｂは第１カム溝１４ｂに係合しているものとする。このとき、羽根部材１３Ａｂ，１３Ａｃを含む複数の羽根部材によって形成される絞り開口は、符号Ｍ１で示す略円形状となる。
【０１３５】
図９において破線で示す羽根部材１３Ｂ，１３Ｃは開放近似位置にある複数の羽根部材のうち周方向に隣接して配置される２枚を取り出して示している。ここで、羽根部材１３Ｂの被駆動ピン１３ｂは第１カム溝１４ｂに係合しているものとする。また、羽根部材１３Ｃの被駆動ピン１３ｂは第２カム溝１４ｃに係合しているものとする。このとき、羽根部材１３Ｂ，１３Ｃを含む複数の羽根部材によって形成される絞り開口は、符号Ｍ２で示す略円形状となる。
【０１３６】
ここで、図９に示す羽根部材１３Ｂ，１３Ｃによって形成される絞り開口Ｍ２に着目する。上述したように、本実施形態の光量調整装置１における各羽根部材は、例えば略三日月状 (lunate) に形成されているものとしている。したがって、各羽根部材が絞り開口を開放位置より狭めた状態としている時には、各羽根部材の内周円弧部（図９の矢印符号１３ｘ参照）は、絞り開口Ｍ２の周縁と所定の二点で交差する。
【０１３７】
例えば、絞り開口Ｍ２が形成されている状態において、羽根部材１３Ｂの内周円弧部１３ｘは、図９の符号Ｓ１，Ｓ２の二点で交差している。ここで、交点Ｓ１，Ｓ２を結ぶ直線を符号Ｈａで示すものとする。
【０１３８】
同様に、絞り開口Ｍ２が形成されている状態において、羽根部材１３Ｃの内周円弧部１３ｘは、図９の符号Ｓ２，Ｓ３の二点で交差している。ここで、交点Ｓ２，Ｓ３を結ぶ直線を符号Ｈｂで示すものとする。
【０１３９】
したがって、これにより、羽根部材１３Ｂ，１３Ｃを含む複数の羽根部材（８枚）によって形成される絞り開口Ｍ２は、直線Ｈａの辺と直線Ｈｂの辺とが交互に繋がって形成される多角形状で表すことができる。こうして表される多角形状は、絞り開口Ｍ２の近似開口Ｍ２ａである。
【０１４０】
この場合において、第１カム溝１４ｂと第２カム溝１４ｃとは、開放近似位置で異なる形状となっているので、直線Ｈａの長さと直線Ｈｂの長さは、Ｈａ≠Ｈｂとなっている。
【０１４１】
一方、全てのカム溝を同じ形状とした従来構成の場合には、開放近似位置の絞り開口は正多角形状で表すことができる。つまり、このとき、全てのカム溝の形状は同じであるので、各辺の長さは全て同じである。
【０１４２】
これに対し、本実施形態の構成では、上述したように、絞り開口Ｍ２は、長さの異なる辺Ｈａと辺Ｈｂ（Ｈａ≠Ｈｂ）とが交互に繋がって形成される多角形状の近似開口Ｍ２ａで表される。
【０１４３】
この場合において、辺Ｈａと辺Ｈｂとが極端に異なる長さで形成されると、極端に異形な形状の近似開口となってしまう。周知の通り、絞り開口の形状は、描写性能に影響を与えるものである。したがって、絞り開口の形状は、できるだけ円形状に近い形状となるように形成される構造が望ましい。換言すると、近似開口が、できるだけ正多角形状に近い形状となるように形成される構造が望ましい。つまり、絞り開口の形状を多角形状で表す場合において、その形状は、撮影によって得られる画像の描写性能に影響の出ない範囲に留めるのが望ましい。
【０１４４】
そこで、例えば、第１カム溝１４ｂに対応する羽根部材１３Ｂによって形成される辺Ｈａの長さと、第２カム溝１４ｃに対応する羽根部材１３Ｃによって形成される辺Ｈｂの長さとの比が、Ｈａ：Ｈｂ＝１：１よりも大きくなるように（即ち、Ｈａ：Ｈｂ＝１：１は含まない）、かつＨａ：Ｈｂ＝２：１以下となるように形成されるのが望ましい。
【０１４５】
以上説明したように上記一実施形態によれば、複数の絞り羽根を駆動モータを用いて駆動する光量調整装置において、所望の開口を形成する複数の羽根部材１３と、開口の中心軸周りに回転自在に配置され複数の羽根部材１３を駆動する回転部材（羽根駆動リング１４）と、回転部材（羽根駆動リング１４）に回転駆動力を付与する電動駆動源（駆動モータ１６）と、回転部材（羽根駆動リング１４）に設けられ一端で複数の羽根部材１３の最大開口径を形成させ、他端で複数の羽根部材１３の最小開口径を形成させるカム曲線を有する複数のカム溝１４ｂ，１４ｃと、複数の羽根部材１３に設けられ複数のカム溝１４ｂ，１４ｃにそれぞれ係合する複数の被駆動ピン１３ｂとを具備し、複数のカム溝は、第１カム溝１４ｂと、第１カム溝１４ｂのカム曲線とは異なる形状のカム曲線を有する少なくとも１つの第２のカム溝１４ｃとからなり、電動駆動源（駆動モータ１６）の回転駆動力により回転部材（羽根駆動リング１４）が回転駆動され、当該回転部材（羽根駆動リング１４）が複数の羽根部材１３を駆動するとき、複数の羽根部材１３から電動駆動源（駆動モータ１６）が受ける負荷のピークは分散されるように構成している。
【０１４６】
この場合において、第１カム溝１４ｂと第２カム溝１４ｃとのそれぞれのカム曲線の形状が異なる領域は、開口が最大開口径となる直前の位置から、開口を狭める方向への所定の領域である（図８のＡ１−Ｂ区間）。
【０１４７】
また、複数の羽根部材１３のそれぞれは、開口を形成する内周円弧部１３ｘを有し、開口は、内周円弧部１３ｘに近似する直線で示した場合、隣接する辺の長さが異なる多角形状であらわされる。
【０１４８】
この場合において、開口をあらわす多角形状の隣接する辺の長さは、開口形状が撮影に影響しない範囲で異なるように設定される。例えば、多角形状の隣接する辺の長さの比は２：１以下とするように、第１カム溝１４ｂ，第２カム溝１４ｃのカム形状を規定する。
【０１４９】
このような構成により、本実施形態によれば、全部で８枚ある複数の羽根部材１３を駆動する際に、４枚の羽根部材１３を第１カム溝１４ｂで駆動させ、第１カム溝１４ｂとは異なるカム形状を有する第２カム溝１４ｃで、他の４枚の羽根部材１３を駆動させるようにしたので、第１カム溝１４ｂが駆動する４枚の羽根部材１３の負荷ピークタイミングと、第２カム溝１４ｃが駆動する４枚の羽根部材１３の負荷ピークタイミングとを、時間的にずらして構成することができる。
【０１５０】
これにより、駆動モータ１６が所定のタイミングで受ける負荷を抑えることができるので、大型化された複数の羽根部材１３を駆動するために必要な駆動トルクを抑えることができる。したがって、駆動モータ１６を大型化することなく、大口径レンズの大型化された羽根部材１３をも駆動することができる。
【０１５１】
また、従来構成の光量調整装置に対して適用すれば、従来と同じ駆動モータを用いた場合、受ける負荷が軽減されるので、羽根駆動の高速化に寄与することができる。
【０１５２】
一方、従来構成の光量調整装置に対して適用する場合、従来の駆動モータよりも小型の駆動モータに置き換えることができるので、装置自体の小型化を実現できる。
【０１５３】
なお、本実施形態においては、羽根駆動リング１４にカム溝（１４ｂ，１４ｃ）を設け、複数の羽根部材１３に被駆動ピン１３ｂを設けた構成を例示しているが、この構成に限られることはない。例えば、複数の羽根部材側にカム溝を設ける一方、羽根駆動リング側に被駆動ピンを設けて構成することもでき、その場合にも全く同様の作用及び効果を得ることができる。
【０１５４】
また、本実施形態では、カム形状の異なる２種のカム溝（第１カム溝１４ｂ，第２カム溝１４ｃ）を設け、第１カム溝１４ｂで４枚の羽根部材を駆動し、第２カム溝１４ｃで他の４枚の羽根部材を駆動する構成例を示しているが、この構成に限られることはない。本発明は、複数の羽根部材を駆動するために設けられる複数のカム溝について、少なくとも１枚以上のカム溝を異なる形状で形成すればよい。
【０１５５】
したがって、例えば、複数の羽根部材に対応する複数のカム溝の全てのカム形状を異なる形状として形成してもよい。また、例えば、複数の羽根部材の総数が例えば８枚である場合には、カム形状の異なる４種のカム溝を設け、各カム溝についてそれぞれ２枚の羽根部材を駆動させるように構成する形態も考えられる。
【０１５６】
このような構成とする場合にも、異なるカム形状のカム溝によって各羽根部材群のそれぞれを駆動する際に、駆動モータ１６が受ける負荷のピークタイミングが時間的に重ならないように分散させる。これにより、上述の一実施形態と同様の効果を得ることができる。
【０１５７】
本発明は上述した実施形態に限定されるものではなく、発明の主旨を逸脱しない範囲内において種々の変形や応用を実施することができることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【符号の説明】
【０１５８】
１……光量調整装置
１０……開口
１１……羽根オサエ蓋
１１ａ，１２ａ，１３ａ，１４ａ……開口
１２……ケース本体
１２ｂ……円環状平面部
１２ｃ……外壁部
１２ｄ……支軸
１２ｅ……貫通溝部
１２ｆ……バネ係止部
１２ｇ……貫通溝部
１３，１３Ｂ，１３Ｃ……羽根部材
１３Ａｂ，１３Ａｃ……羽根部材
１３ｂ……被駆動ピン
１３ｃ……支持孔
１３ｘ……内周円弧部
１４……羽根駆動リング
１４ｂ……第１カム溝
１４ｂｘ……第１カム曲線
１４ｃ……第２カム溝
１４ｃｘ……第２カム曲線
１４ｄ……セクタギアー
１４ｅ……遮光羽根部
１４ｆ……バネ係止部
１４ｇ……円環形状平面部
１６……駆動モータ
１６ａ……ピニオンギアー
１７，１９，２２……ビス
１８……付勢バネ
２０……位置検出センサー
２１……取付板
１００……レンズ鏡筒ユニット
１０１……レンズ鏡筒本体
１０２……レンズ基板
１０２ｂ……信号線
１０３……光学レンズ
１１０……マウント部
２００……撮像装置
２０１……ボディ
２０２……メイン基板
２０２ｂ……信号線
２０３……撮像基板
２０３ａ……撮像素子
２０４……背面表示装置
２０５……電子ビューファインダ
【図１】
2019191223.tif 000003
【図２】
2019191223.tif 000004
【図３】
2019191223.tif 000005
【図４】
2019191223.tif 000006
【図５】
2019191223.tif 000007
【図６】
2019191223.tif 000008
【図７】
2019191223.tif 000009
【図８】
2019191223.tif 000010
【図９】
2019191223.tif 000011